(57)【特許請求の範囲】
【請求項１】
入力信号をチャンネル毎に規定のレベルで入力する第一の検波器と、前記入力信号をチャンネル毎に入力する受信機と、前記受信機からの出力信号を規定のレベルで入力する第二の検波器と、前記受信機の出力信号を合成する合成器と、前記合成器の出力信号を増幅する同時増幅器と、前記同時増幅部の出力信号を規定のレベルで入力する第三の検波器と、基準値を定める基準信号回路と、前記第一の検波器の出力信号と前記第二の検波器の出力信号とを比較して出力レベル差が設定値以上になると受信機異常信号を出力し、また前記第三の検波器の出力信号が前記基準値以上になると同時増幅部異常を出力する比較回路とを有し、前記比較回路は、前記第一の検波器の出力信号がある設定値以上になると受信機入力ＯＮ信号を出力し、また前記第三の検波器からの出力信号がある設定値を超えると同時増幅部ＯＮアンサー信号を出力する手段を備え、前記受信機入力ＯＮ信号を入力すると同時増幅部ＯＮ制御信号を出力し、前記受信機入力ＯＮ信号入力がない場合同時増幅部ＯＦＦ制御信号を出力し、また同時増幅部ＯＮ制御信号を出力してから設定時間以内に前記同時増幅部ＯＮアンサー信号の入力がない場合同時増幅部制御不能信号を出力する論理回路を有することを特徴とする多チャンネル同時増幅中継放送装置用自動監視モニタ。
【発明の詳細な説明】
【０００１】
【発明の属する技術分野】
本発明は、地上放送における多チャンネル同時増幅中継送信装置の異常検出を行なう自動監視モニタに関し、特に受信機出力および増幅部出力異常検出機能を有する自動監視モニタ回路に関する。
【０００２】
【従来の技術】
図２は従来の自動監視モニタを使用した３チャンネル同時増幅中継放送装置の監視用自動モニタのブロック図である。各受信機の出力に設けた方向性結合器１から受信機の出力信号を検波器２に入力する。同時増幅部の出力に設けた方向性結合器１３でその出力信号を取り出し、分配器３で分配し、各バンドパスフィルター４でチャンネル帯域の信号としその信号を検波器５で検波する。検波器２と検波器５の信号を比較回路６で比較し、論理回路７で受信機の異常か、同時増幅部の異常かを警報する。
【０００３】
【発明が解決しようとする課題】
出力信号をそのまま検波すると同時増幅器の故障による出力低下か一つのチャンネルの入力信号断による出力低下か判断できないため、上記技術では増幅部の出力を各チャンネル毎に分離し、各受信機の出力と比較するために分配器を追加する必要があるため必然的に高価になっていた。
【０００４】
また、共通の同時増幅部は全てのチャンネルの放送終了をもってＯＦＦ、また一つのチャンネルの放送開始をもってＯＮする必要がある。従って、チャンネル毎に監視すると同時増幅装置側にＯＮ、ＯＦＦ制御する論理回路が必要になる。
【０００５】
【課題を解決するための手段】
本発明の多チャンネル同時増幅中継放送装置用自動監視モニタは、入力信号をチャンネル毎に規定のレベルで入力する第一の検波器と、前記入力信号をチャンネル毎に入力する受信機と、前記受信機からの出力信号を規定のレベルで入力する第二の検波器と、前記受信機の出力信号を合成する合成器と、前記合成器の出力信号を増幅する同時増幅器と、前記同時増幅部の出力信号を規定のレベルで入力する第三の検波器と、基準値を定める基準信号回路と、前記第一の検波器の出力信号と前記第二の検波器の出力信号とを比較して出力レベル差が設定値以上になると受信機異常信号を出力し、また前記第三の検波器の出力信号が前記基準値以上になると同時増幅部異常を出力する比較回路とを有し、前記比較回路は、前記第一の検波器の出力信号がある設定値以上になると受信機入力ＯＮ信号を出力し、また前記第三の検波器からの出力信号がある設定値を超えると同時増幅部ＯＮアンサー信号を出力する手段を備え、前記受信機入力ＯＮ信号を入力すると同時増幅部ＯＮ制御信号を出力し、前記受信機入力ＯＮ信号入力がない場合同時増幅部ＯＦＦ制御信号を出力し、また同時増幅部ＯＮ制御信号を出力してから設定時間以内に前記同時増幅部ＯＮアンサー信号の入力がない場合同時増幅部制御不能信号を出力する論理回路を有することを特徴とする。
【０００６】
【実施例】
以下、本発明の実施例を図面に基づいて説明する。
【０００７】
図１を参照すると、本発明の多チャンネル同時増幅中継放送装置用自動監視モニタ１０は受信機入力に設けた方向性結合器１４から入力信号をＢＰＦ１２で特定のチャンネル周波数の信号とし、検波器１１で検出してＤＣ信号に変換、その後、比較回路６に入力する。同様に受信機出力の方向性結合器１から入力された信号を検波器２で検出してＤＣ信号に変換、その後、比較回路６に入力する。比較回路６は各受信機ごとに検波器１１と検波器２からの入力レベルを比較し、レベル差の大きいものを検知し検知信号を論理回路７に送出する。また、検波器１１からの入力レベルが設定レベルを越えると検知信号を論理回路７に送出する。
【０００８】
方向性結合器１３から検出された同時増幅部の出力信号は検波器５で検出してＤＣ信号に変換し、その後比較回路６に入る。比較回路６では基準信号回路９からの基準信号（基準値）と比較し、基準値より同時増幅部の検出信号レベルが高い時は同時増幅部の異常検知信号を論理回路７に送出する。また、基準値より同時増幅部の検出信号レベルが低い時は出力低下検知信号を論理回路７に送出する。また、検波器５からの入力信号が設定レベルを超えると検知信号を論理回路７に送出する。
【０００９】
論理回路７では入力された検知信号を処理し、各受信機の異常信号、同時増幅部の異常信号を表示回路８に出力する。また、受信機入力信号の検知信号により、同時増幅部のＯＮ、ＯＦＦ制御信号を外部に出力する。論理回路７は外部に同時増幅部ＯＮ制御を出すと同時に設定時間以内に同時増幅部の検出信号が無い時は同時増幅部の制御不能信号を表示回路８に送出する。同時増幅部の検出信号がある時は同時増幅部のＯＮアンサー信号を表示回路８に送出する。
【００１０】
表示回路８では各々の異常、同時増幅部のＯＮ、ＯＦＦを表示すると共に外部に出力する。
【００１１】
次に図１の回路の動作について図を参照して説明する。
【００１２】
本発明の多チャンネル同時増幅中継放送装置用自動監視モニタ１０は初めにテレビ放送波の特定の信号を、各受信機入力の方向性結合器１４を調整し、ＢＰＦ１２の出力信号を規定のレベルで検波器１１に入力する。ＢＰＦ１２は特定のチャンネル周波数のみを通過させる特性とする。同様に受信機出力の方向性結合器１および同時増幅部の出力の方向性結合器１３を調整して規定のレベルでそれぞれの信号を各検波器２および検波器５へ入力する。
【００１３】
各検波器１１、２の出力を同じレベルで比較回路６に入力する。比較回路６はチャンネル毎に検波器１１と検波器２の出力を比較し、これらの信号レベル差が設定値以上になると受信機異常を出力する。また、検波器１１の出力レベルが設定値以上となった時、受信入力ＯＮ信号を出力する。
【００１４】
また、基準信号回路９において出力レベル基準値を定め、基準値よりも検波器５の出力レベルが高くなると比較回路６が動作し同時増幅部の異常を出力する。同様に基準値よりも低くなったときは比較回路６が動作し、出力低下異常を出力する。また、検出器５からの入力信号レベルがある設定値を越えると同時増幅部ＯＮアンサー信号を出力する。
【００１５】
論理回路７で比較回路６からの各受信機異常信号、同時増幅部出力異常信号および出力低下異常信号を処理し、受信機異常信号が無く、出力低下異常信号があったときは同時増幅部異常とし、同時増幅部異常信号を表示回路８に出力する。
【００１６】
また、論理回路７は受信機入力ＯＮ信号を受けると外部に同時増幅部ＯＮ制御信号を出力する。全ての受信機入力信号がなくなると外部に同時増幅部ＯＦＦ信号を出力する。同時増幅部ＯＮアンサー信号を受けると表示回路８に同時増幅部ＯＮ表示信号を出力する。
【００１７】
また、同時増幅部ＯＮ制御信号を出力してから設定時間以内に同時増幅部ＯＮアンサーが無い時は同時増幅部制御不能信号を表示回路８に出力する。
【００１８】
【発明の効果】
以上のように本発明では、同時増幅部出力の検出において多チャンネルのまま検出しているので、分配器が不要となり、安価に多チャンネル同時増幅中継放送装置の各受信機の異常と同時増幅部の以上を検知する事ができる。また、同時増幅部のＯＮ、ＯＦＦ制御を自動で行うことができる。
【図面の簡単な説明】
【図１】本発明の実施の形態のブロック図である
【図２】従来自動モニタのブロック図である
【符号の説明】
１  方向性結合器
２  検波器
３  分配器
４  バンドパスフィルター
５  検波器
６  比較回路
７  論理回路
８  表示回路
９  基準信号発生器
１０  自動監視モニタ
１１  検波器
１２  ＢＰＦ
１３  方向性結合器
１４  方向性結合器
【図１】
0003677652.tif 000002
【図２】
0003677652.tif 000003